(57)【要約】      （修正有）【課題】音声通話サービスに支障をきたすことなく、無線品質を精度良く測定すること。【解決手段】無線品質測定装置５００は、車両に搭載された車載装置と、車載装置と音声通話を行う基地局との間の車両の走行区間における無線品質を測定する装置であって、車載装置から、音声の復号の成否を示す音声復号結果を取得する通信部５０１と、車両の現在位置を取得する位置情報取得部５０２と、所定期間に取得した音声復号結果における、復号に失敗または成功した音声の割合を無線品質として算出する測定部５０４と、無線品質と現在位置とを関連付けて記録する記録部５０５と、を備える。【選択図】図２
2017163283.tif 000002
【特許請求の範囲】
【請求項１】
車両に搭載された通信装置と、前記通信装置と音声通話を行う基地局との間の前記車両の走行区間における無線品質を測定する無線品質測定装置であって、
前記通信装置から、音声の復号の成否を示す音声復号結果を取得する音声復号結果取得部と、
前記車両の現在位置を取得する位置情報取得部と、
所定期間に取得した前記音声復号結果における、復号に失敗または成功した音声の割合を前記無線品質として算出する測定部と、
前記無線品質と、前記現在位置とを関連付けて記録する記録部と、
を具備する無線品質測定装置。
【請求項２】
前記測定部は、前記走行区間のうち無線品質測定に関する優先区間において前記無線品質を測定し、前記優先区間以外の区間では前記無線品質を測定しない、
請求項１に記載の無線品質測定装置。
【請求項３】
前記優先区間は、前記測定部が前記無線品質を前回測定してから所定期間以上経過している区間である、
請求項２に記載の無線品質測定装置。
【請求項４】
前記優先区間は、前記通信装置がハンドオフ処理を行った区間である、
請求項２に記載の無線品質測定装置。
【請求項５】
前記優先区間は、過去に測定した前記無線品質が音声の復号失敗を示す区間である、
請求項２に記載の無線品質測定装置。
【請求項６】
前記測定部は、前記通信装置が前記音声通話を行っていない場合、前記通信装置に対して通信を開始させて、前記無線品質を測定する、
請求項１から５の何れかに記載の無線品質測定装置。
【請求項７】
前記音声復号結果取得部は、更に、前記通信装置から、ハンドオフ処理が行われていることを示すハンドオフ情報を取得し、
前記記録部は、前記無線品質と、前記現在位置と、前記ハンドオフ情報と、測定時刻とを関連付けて記録する、
請求項１から６の何れかに記載の無線品質測定装置。
【請求項８】
車両に搭載された通信装置と、
前記通信装置と、当該通信装置と音声通話を行う基地局との間の前記車両の走行区間における無線品質を測定する無線品質測定装置と、
を具備する無線品質測定システムであって、
前記無線品質測定装置は、
前記通信装置から、前記音声の復号の成否を示す音声復号結果を取得し、
前記車両の現在位置を取得し、
所定期間に受信した前記音声復号結果における、復号に失敗または成功した音声の割合を前記無線品質として算出し、
前記無線品質と、前記現在位置とを関連付けて記録する、
無線品質測定システム。
【請求項９】
車両に搭載された通信装置と、前記通信装置と音声通話を行う基地局との間の前記車両の走行区間における無線品質を測定する無線品質測定方法であって、
前記通信装置から、前記音声の復号の成否を示す音声復号結果を取得し、
前記車両の現在位置を取得し、
所定期間に受信した前記音声復号結果における、復号に失敗または成功した音声の割合を前記無線品質として算出し、
前記無線品質と、前記現在位置とを関連付けて記録する、
無線品質測定方法。
【請求項１０】
車両に搭載された通信装置と、前記通信装置と音声通話を行う基地局との間の前記車両の走行区間における無線品質の測定を、コンピュータに実行させるプログラムであって、
前記通信装置から、前記音声の復号の成否を示す音声復号結果を取得するステップと、
前記車両の現在位置を取得するステップと、
所定期間に受信した前記音声復号結果における、復号に失敗または成功した音声の割合を前記無線品質として算出するステップと、
前記無線品質と、前記現在位置とを関連付けて記録するステップと、
を具備するプログラム。
【請求項１１】
通信装置と基地局との間で行う音声通話の無線品質を測定する無線品質測定装置であって、
前記音声の復号の成否を示す音声復号結果を取得する音声復号結果取得部と、
前記無線品質測定装置の現在位置を取得する位置情報取得部と、
所定期間に取得した前記音声復号結果における、復号に失敗または成功した音声の割合を前記無線品質として算出する測定部と、
前記無線品質と、前記現在位置とを関連付けて記録する記録部と、
を具備する無線品質測定装置。
【発明の詳細な説明】
【技術分野】
【０００１】
本開示は、無線品質測定装置、無線品質測定システム、無線品質測定方法及びプログラムに関する。
【背景技術】
【０００２】
従来、高速道路の保守や点検業務を行う管理会社は、保守・点検業務者が現場と事務所との間で通信手段として使用する自営無線通信システムを保有している。この自営無線通信システムは、管理会社の作業者が道路点検や保守点検など道路保全を行う際に使用する車両内に設置された車載装置や、無線端末と道路沿いに設置された基地局との間で無線通信を行う。
【０００３】
一方で、この自営無線通信システム等の無線通信システムでは、音声通話等のサービスレベルの維持のために、基地局と端末との間の無線品質測定（電波測定と呼ぶこともある）が行われている（例えば、特許文献１を参照）。特許文献１では、基地局は、無線品質としてＢＥＲ（Bit Error Rate。ビット誤り率）を測定する際、音声を割り当てるチャネルに、無線品質測定用信号（基地局と端末とが既知の信号）を割り当てて送信し、端末は、受信した無線品質測定用信号と、自機で生成した無線品質測定用の信号とを比較することにより、ＢＥＲを測定する。
【先行技術文献】
【特許文献】
【０００４】
【特許文献１】特開２０１４−９９６９０号公報
【発明の概要】
【発明が解決しようとする課題】
【０００５】
上述した従来技術では、無線品質測定時には、少なくとも一部の通信チャネルが無線品質測定用信号に割り当てられるので、当該通信チャネルでは音声通話等の通常のサービスを行うことができなくなってしまう。
【０００６】
本開示の一態様は、音声通話等の通常のサービスに支障をきたすことなく、無線品質を精度良く測定することができる無線品質測定装置、無線品質測定システム、無線品質測定方法及びプログラムを提供することである。
【課題を解決するための手段】
【０００７】
本開示の一態様に係る無線品質測定装置は、車両に搭載された通信装置と、前記通信装置と音声通話を行う基地局との間の前記車両の走行区間における無線品質を測定する無線品質測定装置であって、前記通信装置から、音声の復号の成否を示す音声復号結果を取得する音声復号結果取得部と、前記車両の現在位置を取得する位置情報取得部と、所定期間に取得した前記音声復号結果における、復号に失敗または成功した音声の割合を前記無線品質として算出する測定部と、前記無線品質と、前記現在位置とを関連付けて記録する記録部と、を具備する構成を採る。
【０００８】
本開示の一態様に係る無線品質測定装置は、通信装置と基地局との間で行う音声通話の無線品質を測定する無線品質測定装置であって、音声の復号の成否を示す音声復号結果を取得する音声復号結果取得部と、前記無線品質測定装置の現在位置を取得する位置情報取得部と、所定期間に取得した前記音声復号結果における、復号に失敗または成功した音声の割合を前記無線品質として算出する測定部と、前記無線品質と、前記現在位置とを関連付けて記録する記録部と、を具備する構成を採る。
【０００９】
本開示の一態様に係る無線品質測定システムは、車両に搭載された通信装置と、当該通信装置と音声通話を行う基地局との間の前記車両の走行区間における無線品質を測定する無線品質測定装置と、を具備する無線品質測定システムであって、前記無線品質測定装置は、前記通信装置から、音声の復号の成否を示す音声復号結果を取得し、前記車両の現在位置を取得し、所定期間に受信した前記音声復号結果における、復号に失敗または成功した音声の割合を前記無線品質として算出し、前記無線品質と、前記現在位置とを関連付けて記録する。
【００１０】
本開示の一態様に係る無線品質測定方法は、車両に搭載された通信装置と、前記通信装置と音声通話を行う基地局との間の前記車両の走行区間における無線品質を測定する無線品質測定方法であって、前記通信装置から、音声の復号の成否を示す音声復号結果を取得し、前記車両の現在位置を取得し、所定期間に受信した前記音声復号結果における、復号に失敗または成功した音声の割合を前記無線品質として算出し、前記無線品質と、前記現在位置とを関連付けて記録する。
【００１１】
本開示の一態様に係るプログラムは、車両に搭載された通信装置と、前記通信装置と音声通話を行う基地局との間の前記車両の走行区間における無線品質の測定を、コンピュータに実行させるプログラムであって、前記通信装置から、前記音声の復号の成否を示す音声復号結果を取得するステップと、前記車両の現在位置を取得するステップと、所定期間に受信した前記音声復号結果における、復号に失敗または成功した音声の割合を前記無線品質として算出するステップと、前記無線品質と、前記現在位置とを関連付けて記録するステップと、を具備する。
【発明の効果】
【００１２】
本開示の一態様によれば、音声通話サービスに支障をきたすことなく、無線品質を精度良く測定することができる。
【図面の簡単な説明】
【００１３】
【図１】一実施の形態に係る通信システムの構成例を示す図
【図２】一実施の形態に係る無線品質測定装置の構成例を示すブロック図
【図３】一実施の形態に係る無線品質測定装置の動作例を示すフローチャート図
【図４Ａ】一実施の形態に係る無線品質測定処理の動作例を示すフローチャート図
【図４Ｂ】一実施の形態に係る音声通話処理の動作例を示すフローチャート図
【図４Ｃ】一実施の形態に係る品質測定処理の動作例を示すフローチャート図
【図４Ｄ】一実施の形態に係る表示処理の動作例を示すフローチャート図
【図５】一実施の形態に係る判定処理の動作例を示すフローチャート図
【図６】一実施の形態に係るハンドオフ区間の一例を示す図
【図７】一実施の形態に係る同期処理の動作例を示すフローチャート図
【図８】一実施の形態に係る管理サーバの動作例を示すフローチャート図
【図９】一実施の形態に係る車載装置の動作例を示すフローチャート図
【図１０】一実施の形態のバリエーションに係る通信システムの構成例を示す図
【図１１】一実施の形態のバリエーションに係る無線品質測定装置の構成例を示すブロック図
【発明を実施するための形態】
【００１４】
以下、本開示の実施の形態について図面を参照して詳細に説明する。
【００１５】
［通信システムの概要］
図１は、本実施の形態に係る通信システムの構成例を示す。
【００１６】
図１に示す通信システム１０は、管理サーバ１００、業務用端末装置２００、基地局３００、車載装置４００、無線品質測定装置５００、無線ネットワーク６００、有線ネットワーク７００を含む構成を採る。管理サーバ１００及び業務用端末装置２００は、各基地局３００と有線ネットワーク７００を介して接続され、車載装置４００は無線ネットワーク６００を介して対応する基地局３００に接続されている。
【００１７】
なお、少なくとも、無線品質測定装置５００及び車載装置４００は、無線品質測定システムを構成する。
【００１８】
また、無線ネットワーク６００は、自営無線ネットワークでもよく、公衆無線ネットワークでもよい。また、有線ネットワーク７００は一例として有線ＬＡＮ（Local Area Network）でもよい。
【００１９】
また、無線品質測定装置５００及び車載装置４００は、車両５０に搭載されている。例えば、車両５０は、道路（高速道路など）上に構築された無線ネットワーク６００の運用保守を行う巡回点検車であってもよい。
【００２０】
通信システム１０は、保守端末（図示せず）で設定された制御情報に基づいて、全ての基地局３００と無線ネットワーク６００とを接続する集約装置（図示せず）により制御される。また、管理サーバ１００は、基地局３００がカバーする通信エリアの各地点について、無線品質測定装置５００から無線品質情報を取得し、管理する。すなわち、管理サーバ１００は、無線品質測定装置５００から新たな情報を取得する度に、対応する無線品質情報を更新する。
【００２１】
無線品質情報には、例えば、無線品質測定結果、測定位置、測定位置においてハンドオフ処理が行われたか否かを示すハンドオフ情報が含まれる。
【００２２】
なお、管理サーバ１００は、無線品質測定装置５００との間で直接又は間接的に接続されればよい。例えば、管理サーバ１００は、無線品質情報を、基地局３００と有線ネットワーク７００を介して取得してもよく、外部メモリを介して取得してもよい。
【００２３】
業務用端末装置２００は、基地局３００を介して車載装置４００との間で音声及びデータの通信を行う。業務用端末装置２００は、例えば、車両５０に乗車しているユーザとの間で音声通話を行う指令装置であってもよく、又は、通信システム１０の各装置の保守を行うための保守端末であってもよい。
【００２４】
基地局３００は、無線ネットワーク６００を介して車載装置４００との間で無線通信を行う。なお、通信システム１０は、複数の基地局３００を備えてもよい。複数の基地局３００のうち、車両５０が位置するエリアをカバーする基地局３００が、当該車両５０の車載装置４００との間で無線通信を行う。また、複数の基地局３００は、車載装置４００の無線品質に応じてハンドオフ（ハンドオーバと呼ぶこともある）処理を行い、車載装置４００が接続する基地局３００を切り替える。
【００２５】
車載装置４００は、車両５０に搭載された通信装置であって、基地局３００を介して業務用端末装置２００との間で音声通話を行う。具体的には、車載装置４００は、マイクなどから入力された音声に対して符号化処理を行い、音声符号化データを基地局３００を介して業務用端末装置２００へ送信する。また、車載装置４００は、業務用端末装置２００から基地局３００を介して受け取った音声符号化データに対して復号処理を行い、復号後の音声を出力する。この際、車載装置４００は、音声の復号の成否（復号成功（復号ＯＫ）又は復号失敗（復号ＮＧ））を示す音声復号結果を無線品質測定装置５００に出力する。例えば、車載装置４００は、フレーム毎に音声の符号化・復号を行い、フレーム毎に音声復号結果を無線品質測定装置５００へ出力する。
【００２６】
また、車載装置４００は、隣接する基地局３００の通信エリア間の移動に伴い、ハンドオフ処理を行う。この際、車載装置４００は、ハンドオフ処理が行われていることを示す情報（以下、ハンドオフ情報）を無線品質測定装置５００に出力する。なお、車載装置４００と無線品質測定装置５００とは一例として有線接続されているが、無線接続されても良い。
【００２７】
無線品質測定装置５００は、例えば、無線品質測定結果を表示するモニタを備えたモニタ端末（例えば、タブレット端末、又は、ノートＰＣ）である。具体的には、無線品質測定装置５００は、車載装置４００から出力される音声復号結果を用いて、基地局３００と車載装置４００との間の無線品質を測定する。そして、無線品質測定装置５００は、測定した無線品質と、測定位置と、ハンドオフ情報と、測定時刻とを関連付けた無線品質情報を管理サーバ１００へ出力する。なお、無線品質測定装置５００における無線品質測定方法の詳細な説明に関しては後述する。
【００２８】
［無線品質測定装置５００の構成］
図２は、本実施の形態に係る無線品質測定装置５００の構成を示すブロック図である。図２において、無線品質測定装置５００は、音声復号結果取得部としての通信部５０１、位置情報取得部５０２、判定部５０３、測定部５０４、記録部５０５、表示部５０６を含む構成を採る。
【００２９】
通信部５０１は、車載装置４００から入力される情報を受信し、受信した情報を判定部５０３、測定部５０４及び記録部５０５へ出力する。車載装置４００から入力される情報には、車載装置４００が受信した音声符号化データの音声復号結果（復号ＯＫ又は復号ＮＧ）、又は、ハンドオフ情報が含まれる。
【００３０】
また、通信部５０１は、記録部５０５から入力される無線品質情報を送信する。
【００３１】
位置情報取得部５０２は、例えば、ＧＰＳ（Global Positioning System）を用いて車両５０の現在位置を取得し、現在位置を示す位置情報を判定部５０３及び記録部５０５へ出力する。
【００３２】
判定部５０３は、通信部５０１から入力される情報（音声復号結果、ハンドオフ情報）、位置情報取得部５０２から入力される位置情報、及び、記録部５０５から入力される過去の無線品質情報に基づいて、測定部５０４において無線品質測定を行うか否かを判定する。判定部５０３は、判定結果を測定部５０４に出力する。
【００３３】
測定部５０４は、判定部５０３が無線品質測定を行うと判定した場合、通信部５０１から入力される、音声復号結果を用いて無線品質を測定する。例えば、測定部５０４は、所定期間（所定数のフレーム）に受信した音声復号結果における、復号に失敗した（復号ＮＧ）音声（フレーム）の割合（つまり、復号誤り率）を無線品質結果として算出する。なお、音声品質結果は、音声の復号に成功した音声（フレーム）の割合を無線品質結果として算出してもよい。
【００３４】
また、測定部５０４は、無線品質測定を行う際に、通信部５０１を用いて車載装置４００が音声通話を行っていない場合、車載装置４００に対して音声通話（すなわち、擬似的な通信）を開始させて、当該音声通話での音声復号結果を用いて無線品質を測定する。
【００３５】
測定部５０４は、無線品質測定結果を記録部５０５へ出力する。
【００３６】
記録部５０５は、測定部５０４から入力される無線品質測定結果と、位置情報取得部５０２から入力される、当該無線品質測定結果に対応する位置（つまり、測定位置）と、測定した時刻（以下、測定時刻と表記する）を関連付けて無線品質情報として記録する。更に、記録部５０５は、通信部５０１からハンドオフ情報を受け取った場合には、無線品質測定結果と、測定位置と、ハンドオフ情報と、測定時刻とを関連付けて無線品質情報として記録する。記録部５０５は、無線品質情報を通信部５０１及び表示部５０６に出力する。また、記録部５０５は、記録している過去の無線品質情報を判定部５０３へ出力する。
【００３７】
表示部５０６は、記録部５０５から入力される無線品質情報を、モニタ（図示せず）に表示する。
【００３８】
［通信システム１０における各装置の動作］
以上の構成を有する通信システム１０における各装置の動作について説明する。
【００３９】
＜無線品質測定装置５００の動作＞
図３は、無線品質測定装置５００における無線品質測定処理の動作の一例を示すフローチャート図である。
【００４０】
ステップ（以下、単に「ＳＴ」と表す）１０１では、判定部５０３は、無線品質測定を実施するか否かを判定する。判定部５０３は、無線品質測定を行うと判定した場合、無線品質測定のフラグをＯＮに設定し、無線品質測定を行わない判定した場合、無線品質測定のフラグをＯＦＦに設定する。なお、無線品質測定の実施判定処理の詳細については後述する。
【００４１】
ＳＴ１０２では、測定部５０４は、ＳＴ１０１で設定されたフラグがＯＮであるか否かを判断する。フラグがＯＦＦの場合（ＳＴ１０２：ＮＯ）、測定部５０４は、無線品質測定を行わずに、ＳＴ１０１の処理に戻る。
【００４２】
一方、フラグがＯＮの場合（ＳＴ１０２：ＹＥＳ）、ＳＴ１０３において、測定部５０４は、無線品質測定処理を行い、無線品質情報を生成する。なお、ＳＴ１０３における無線品質測定処理の詳細については後述する。
【００４３】
ＳＴ１０４では、通信部５０１は、管理サーバ１００との間で、ＳＴ１０３で生成された無線品質情報に対する同期処理を行う。なお、ＳＴ１０４における同期処理の詳細については後述する。
【００４４】
ＳＴ１０５では、無線品質測定装置５００は、処理を一定期間行わないWait処理を行う。無線品質測定装置５００は、一定期間経過後、再び、ＳＴ１０１の処理に戻る。すなわち、無線品質測定装置５００は、無線品質測定処理を所定の間隔で周期的に行う。
【００４５】
＜無線品質測定処理＞
図４Ａは、無線品質測定装置５００における無線品質測定処理（図３に示すＳＴ１０３）の動作の一例を示すフローチャート図である。
【００４６】
図４Ａに示すＳＴ１３１では、測定部５０４は、車載装置４００において音声通話処理が行われているか否かを判断し、音声通話処理が行われていない場合には、無線品質を測定するための音声通話処理を行う。
【００４７】
図４Ｂは、ＳＴ１３１の処理の詳細を示すフローチャート図である。
【００４８】
図４Ｂにおいて、ＳＴ１３１１では、測定部５０４は、現在、車載装置４００において音声通話処理が行われている状態であるか否かを判断する。例えば、測定部５０４は、車載装置４００から音声復号結果の出力の有無に応じて、音声通話処理の有無を判断してもよい。音声通話処理が行われている状態である場合（ＳＴ１３１１：ＹＥＳ）、測定部５０４は、図４ＡのＳＴ１３２の処理に進む。
【００４９】
音声通話処理が行われていない状態である場合（ＳＴ１３１１：ＮＯ）、ＳＴ１３１２において、測定部５０４は、通信部５０１を用いて車載装置４００に対して音声通話処理を開始させる。
【００５０】
測定部５０４は、例えば、擬似的な音声信号（ダミー信号）を出力させてもよい（ＳＴ１３１３）。ただし、ＳＴ１３１３の処理のように音声出力は無くてもよい。つまり、ＳＴ１３１２の処理において、音声を伝送可能な音声フレームが生成されていればよく、当該フレームでは無音であってもよい。
【００５１】
以上、ＳＴ１３１における音声通話処理について説明した。このように、測定部５０４は、車載装置４００において音声通話が行われていない場合には、車載装置４００に対して自動発信させる。これにより、無線品質測定装置５００は、車載装置４００を用いて通常業務が行われている区間では、通常業務で発生する音声の音声復号結果を取得し、それ以外の区間（例えば、通常業務において車両５０が通過しない区間）では、自動発信させた音声の音声復号結果を取得することができる。つまり、無線品質測定装置５００は、通信システム１０でのユーザの利用状況に依らず、音声復号結果を用いた無線品質測定を行うことができる。
【００５２】
図４Ａに戻り、ＳＴ１３２では、測定部５０４は、無線品質測定処理を行う。図４Ｃは、測定部５０４におけるＳＴ１３２の処理の詳細を示すフローチャート図である。
【００５３】
図４Ｃにおいて、ＳＴ１３２１では、測定部５０４は、通信部５０１から音声復号結果を取得する。
【００５４】
ＳＴ１３２２では、測定部５０４は、音声復号結果に基づいて、復号誤り率を算出する。上述したように、音声復号結果は、車載装置４００が受信した音声符号化データをフレーム毎に復号した結果である。つまり、音声の復号ＮＧの割合を示す復号誤り率は、基地局３００と車載装置４００との間で送受信される音声そのものに対する、無線環境での通信品質を表す。よって、例えば、車載装置４００の無線受信部（図示せず）における受信信号全体（つまり、音声、他の信号、又は雑音を含む）のレベルを表す受信信号強度（RSSI：Received Signal Strength Indicator）と比較すると、測定部５０４が算出する復号誤り率は、ＢＥＲ（ビット誤り率）と同様、基地局３００と車載装置４００との間の音声通話に対する無線品質を精度良く表すパラメータである。
【００５５】
すなわち、従来技術ようにＢＥＲを測定する際には、無線品質測定用信号の割当によって音声通話が制限されてしまうのに対して、本実施の形態によれば、測定部５０４は、車載装置４００が音声通話中でも無線品質を精度良く測定することができる。換言すると、本実施の形態では、無線品質の測定によって、車載装置４００が音声通話を行うことができなくなることはない。
【００５６】
ＳＴ１３２３では、記録部５０５は、車載装置４００からハンドオフ状態を示すハンドオフ情報が入力される場合、ＳＴ１３２２で得られた無線品質測定結果と、測定位置と、ハンドオフ情報と、測定時刻とを関連付けて記録する。
【００５７】
以上、ＳＴ１３２における無線品質測定処理について説明した。
【００５８】
図４Ａに戻り、ＳＴ１３３では、表示部５０６は、ＳＴ１３２で得られる無線品質情報を表示する。図４Ｄは、表示部５０６におけるＳＴ１３３の処理の詳細を示すフローチャート図である。
【００５９】
図４Ｄにおいて、ＳＴ１３３１では、表示部５０６は、記録部５０５が保持する無線品質情報から、車両５０の位置を取得する。ＳＴ１３３２では、表示部５０６は、例えば、ＳＴ１３３１で取得した位置を、予め設定された基準点（起点）からの距離を示すキロポストに変換する。ＳＴ１３３３では、表示部５０６は、ＳＴ１３３２で得たキロポストと、記録部５０５が保持する無線品質情報において、当該キロポストに関連付けられた無線品質測定結果とを対応付けて表示する。
【００６０】
以上、ＳＴ１３３における表示処理について説明した。なお、図４Ｄでは、無線品質測定結果をキロポスト出力する場合について説明したが、無線品質測定結果の表示方法は、これに限定されず、例えば、地図上の測定位置における無線品質測定結果（復号ＯＫ又は復号ＮＧ）を示す方法でもよい。
【００６１】
＜無線品質測定の実施判定処理＞
図５は、判定部５０３における無線品質測定の実施判定処理（図３に示すＳＴ１０１）の動作の一例を示すフローチャート図である。
【００６２】
ＳＴ１１１では、判定部５０３は、位置情報取得部５０２から、車両５０の現在位置を示す位置情報を取得する。
【００６３】
ＳＴ１１２では、判定部５０３は、記録部５０５から、ＳＴ１１１で取得した現在位置に対応する、過去の無線品質情報を取得する。
【００６４】
ＳＴ１１３では、判定部５０３は、測定部５０４が無線品質を前回測定してから所定期間以上経過しているか否かを判断する。すなわち、判定部５０３は、取得した位置情報と、記録部５０５から取得した無線品質情報を比較し、測定部５０４が無線品質を測定していない期間（未測定期間）が所定期間以上であるか否かを判断する。未測定期間が所定期間以上である場合（ＳＴ１１３：ＹＥＳ）、判定部５０３は、ＳＴ１１７の処理に進む。
【００６５】
一方、未測定期間が所定期間未満である場合（ＳＴ１１３：ＮＯ）、判定部５０３は、ＳＴ１１４において、ＳＴ１１２で取得した過去の無線品質情報にハンドオフ情報が含まれるか否か、つまり、車両５０の現在位置が車載装置４００においてハンドオフ処理が行われた区間（ハンドオフ区間）であるか否かを判断する。なお、ＳＴ１１４では、判定部５０３は、通信部５０１から入力されるハンドオフ情報（つまり、リアルタイムの情報）に基づいてハンドオフ区間であるか否かを判断してもよい。現在位置がハンドオフ区間である場合（ＳＴ１１４：ＹＥＳ）、判定部５０３は、ＳＴ１１７の処理に進む。
【００６６】
一方、現在位置がハンドオフ区間ではない場合（ＳＴ１１４：ＮＯ）、判定部５０３は、ＳＴ１１５において、ＳＴ１１２で取得した過去の無線品質測定結果が復号ＮＧであるか否か、つまり、車両５０の現在位置における過去の無線品質が音声の復号失敗を示す区間であるか否かを判断する。現在位置が復号ＮＧの区間である場合（ＳＴ１１５：ＹＥＳ）、判定部５０３は、ＳＴ１１７の処理に進み、現在位置が復号ＯＫの区間である場合（ＳＴ１１５：ＮＯ）、判定部５０３は、ＳＴ１１６の処理に進む。
【００６７】
ＳＴ１１６では、判定部５０３は、無線品質測定を実施しないと判断し、フラグをＯＦＦに設定する。
【００６８】
一方、ＳＴ１１７では、判定部５０３は、無線品質測定を実施すると判断し、フラグをＯＮに設定する。
【００６９】
このように、判定部５０３は、無線品質測定に関する優先区間（無線品質測定の未測定期間、ハンドオフ区間、又は、過去に復号ＮＧの区間）において無線品質を測定し、優先区間以外の区間では無線品質を測定しないと判断する。
【００７０】
具体的には、優先区間である未測定期間が長い区間では、無線品質測定装置５００が保持する過去の無線品質情報と、現在の実際の無線環境とが一致しない可能性が高くなる。そこで、無線品質測定装置５００は、未測定期間が所定期間以上の場合に無線品質測定を実施することにより、実際の無線環境に沿った無線品質情報を得ることができる。
【００７１】
また、優先区間であるハンドオフ区間は、図６に示すように、接続先の基地局３００（基地局Ａ）及び接続元の基地局３００（基地局Ｂ）の双方の通信エリア境界である可能性が高く、無線環境が劣悪である可能性が高い。そこで、無線品質測定装置５００は、ハンドオフ区間において無線品質測定を実施することにより、無線環境が劣悪であることが想定される区間の無線品質を精度良く測定することができる。これにより、例えば、管理サーバ１００は、通信システム１０の無線品質が劣悪であるエリアを正確に管理することができ、無線ネットワーク６００の保守性を向上させることができる。
【００７２】
更に、優先区間である、過去の無線品質測定結果が復号ＮＧである区間では、例えば、道路沿いの建物などの周辺環境の影響により、無線環境が劣悪である可能性がある。そこで、無線品質測定装置５００は、過去に復号ＮＧである区間において無線品質測定を実施することにより、無線環境が劣悪であることが想定される区間の無線品質を精度良く測定することができる。これにより、ハンドオフ区間と同様、管理サーバ１００は、通信システム１０の無線品質が劣悪であるエリアを正確に管理することができ、無線ネットワーク６００の保守性を向上させることができる。
【００７３】
＜同期処理＞
図７は、図３のＳＴ１０４の同期処理の動作の一例を示すフローチャート図である。
【００７４】
なお、図７では、管理サーバ１００が事務所内に設置されているものとする。また、当該事務所には、無線ＬＡＮ環境（例えば、ＷｉＦｉ（登録商標）通信システム）が備えられているものとする。なお、事務所の無線通信は、無線ＬＡＮに限るものではなく、例えばＢｌｕｅｔｏｏｔｈ（登録商標）通信システムでも良い。
【００７５】
図７において、ＳＴ１４１では、通信部５０１は、無線品質測定装置５００がセルラー通信（例えば、ＬＴＥ又は３Ｇシステム）を使用して通信が可能であるか否かを判断する。セルラー通信が使用可能である場合（ＳＴ１４１：ＹＥＳ）、ＳＴ１４２において、通信部５０１は、セルラー通信システムを使用して、記録部５０５に記録された無線品質情報を管理サーバ１００へ送信する。また、通信部５０１は、セルラー通信が可能である場合、セルラー通信システムを使用して、管理サーバ１００に蓄積されている無線品質情報を取得してもよい。
【００７６】
セルラー通信が使用できない場合（ＳＴ１４１：ＮＯ）、ＳＴ１４３において、通信部５０１は、無線品質情報を、内部のメモリ（例えば、記録部５０５）に出力する。
【００７７】
ＳＴ１４４では、通信部５０１は、無線品質測定装置５００が事務所周辺に位置するか否か、つまり、無線ＬＡＮ環境下であるか否かを判断する。無線品質測定装置５００が無線ＬＡＮ環境下である場合（ＳＴ１４４：ＹＥＳ）、通信部５０１は、無線ＬＡＮシステムを使用して、記録部５０５に記録された無線品質情報を管理サーバ１００へ送信する。また、通信部５０１は、無線ＬＡＮ環境下である場合、無線ＬＡＮシステムを使用して、管理サーバ１００に蓄積されている無線品質情報を取得してもよい。
【００７８】
一方、無線ＬＡＮが使用できない場合（ＳＴ１４４：ＮＯ）、通信部５０１は、管理サーバ１００との同期処理を行わずに処理を終了する。
【００７９】
なお、無線品質測定装置５００と管理サーバ１００との間の同期処理は、図７に示す処理に限定されず、無線品質測定装置５００と管理サーバ１００とが接続可能な環境において行われてもよく、又は、外部装置（外部メモリ等）を介して行われてもよい。
【００８０】
以上、ＳＴ１０４における同期処理について説明した。
【００８１】
＜管理サーバ１００の動作＞
次に、管理サーバ１００の動作について説明する。
【００８２】
図８は、管理サーバ１００の動作の一例を示すフローチャート図である。なお、以下では、管理サーバ１００における無線品質測定に関する処理のみについて説明する。
【００８３】
ＳＴ２０１では、管理サーバ１００は、無線品質測定装置５００からの送信データ（無線品質情報を含む）が検出されたか否かを判断する。送信データが検出されない場合（ＳＴ２０１：ＮＯ）、管理サーバ１００は、ＳＴ２０１の処理を繰り返す。
【００８４】
一方、送信データが検出された場合、ＳＴ２０２において、管理サーバ１００は、送信データに含まれる無線品質情報を抽出し、無線品質測定結果を取得する。
【００８５】
ＳＴ２０３では、管理サーバ１００は、管理サーバ１００が蓄積している無線品質測定結果（つまり、過去のデータ）のうち、ＳＴ２０２で取得した無線品質測定結果と同一位置のデータを更新する。
【００８６】
以上、管理サーバ１００の動作について説明した。
【００８７】
＜車載装置４００の動作＞
次に、車載装置４００の動作について説明する。
【００８８】
図９は、車載装置４００の動作の一例を示すフローチャート図である。なお、以下では、車載装置４００における無線品質測定に関する処理のみについて説明する。
【００８９】
ＳＴ３０１では、車載装置４００は、音声通話中であるか否かを判断する。音声通話中ではない場合（ＳＴ３０１：ＮＯ）、車載装置４００は、ＳＴ３０１の処理を繰り返す。
【００９０】
音声通話中である場合（ＳＴ３０１：ＹＥＳ）、ＳＴ３０２において、車載装置４００は、ＳＴ３０１の音声通話処理において復号した音声復号結果を無線品質測定装置５００へ出力する。
【００９１】
ＳＴ３０３では、車載装置４００は、基地局３００との間の通信においてハンドオフ処理が発生しているか否かを判断する。ハンドオフ中ではない場合（ＳＴ３０３：ＮＯ）、車載装置４００は、ＳＴ３０１の処理に戻る。一方、ハンドオフ中の場合（ＳＴ３０３：ＹＥＳ）、ＳＴ３０４において、車載装置４００は、ハンドオフが発生していることを示すハンドオフ情報を無線品質測定装置５００へ出力する。
【００９２】
以上、車載装置４００の動作について説明した。
【００９３】
このようにして、本実施の形態に係る無線品質測定装置５００は、車両５０に搭載された車載装置４００と、車載装置４００と音声通話を行う基地局３００との間の車両５０の走行区間における無線品質を測定する装置であって、車載装置４００から、音声の復号の成否を示す音声復号結果を取得する通信部５０１と、車両５０の現在位置を取得する位置情報取得部５０２と、所定期間に取得した音声復号結果における、復号に失敗又は成功した音声の割合を無線品質として算出する測定部５０４と、無線品質と現在位置とを関連付けて記録する記録部５０５と、を備える。
【００９４】
この構成により、無線品質測定装置５００は、音声復号結果を用いて、車載装置４００が音声通話を行っている間に無線品質を精度良く測定することができる。換言すると、無線品質測定装置５００は、通信システム１０で使用されるチャネルを無線品質測定のために占有することなく無線品質測定を実施することができる。よって、車載装置４００は、無線品質測定のために音声通話処理を行えなくなることは無い。
【００９５】
以上より、本実施の形態によれば、音声通話サービスに支障をきたすことなく、無線品質を精度良く測定することができる。
【００９６】
また、本実施の形態では、無線品質測定装置５００は、車載装置４００において音声通話が行われていない場合には、通信部５０１を用いて車載装置４００に対して音声通話を開始させ（自動発信させ）、当該音声通話時に生成される音声フレームを用いて無線品質測定を行う。こうすることで、無線品質測定装置５００は、ユーザによる音声通話が発生していない区間でも、音声復号結果を用いて無線品質測定を行うことができる。
【００９７】
また、本実施の形態では、無線品質測定装置５００は、基地局３００の通信エリアのうち、無線品質測定に関する優先区間（未測定期間が所定期間以上の区間、ハンドオフ区間、又は、過去の無線品質が復号ＮＧである区間）に対して、無線品質測定を優先的に行う。こうすることで、無線品質測定装置５００は、管理サーバ１００が管理している無線品質が正確ではない可能性の高い区間、又は、無線品質が劣悪である可能性の高い区間の無線品質を優先的に測定できる。換言すると、無線品質測定装置５００は、無線品質が良好である可能性の高い区間での無線品質測定の頻度を低減することができるので、無線品質測定処理のための無線帯域を低減することができる。
【００９８】
また、本実施の形態では、無線品質測定装置５００は、無線品質測定結果とともに、ハンドオフ状態を併せて記録する。こうすることで、無線品質測定装置５００は、無線品質測定結果が復号ＮＧの場合と、その復号ＮＧの原因がハンドオフであることとを対応付けることができるので、無線品質の劣化の原因解析のための情報として活用することができる。
【００９９】
なお、本実施の形態では、車載装置４００と無線品質測定装置５００とを別構成としたが、例えば、図１０の無線品質測定装置８００のように、これらを無線端末として一体的に構成するようにしてもよい。この場合、無線品質測定装置８００は、図１１の通信部８０１が車載装置４００の機能を備える。なお、図１０、図１１の各構成要素の機能や動作については、上記実施の形態（図１、図２）と同じであるため、その説明を省略する。このようにすれば、無線品質測定装置８００のみで無線品質を測定できるので、上記実施の形態とは異なり、作業者自身が装置を持ち運びやすくなり、車で行けない場所での無線品質測定が可能となる。
【０１００】
以上、本開示の各実施の形態について説明した。
【産業上の利用可能性】
【０１０１】
本開示の一態様は、無線通信により音声通話を行うシステムに有用である。
【符号の説明】
【０１０２】
１０  通信システム
１００  管理サーバ
２００  業務用端末装置
３００  基地局
４００  車載装置
５００，８００  無線品質測定装置
５０１，８０１  音声復号結果取得部（通信部）
５０２，８０２  位置情報取得部
５０３，８０３  判定部
５０４，８０４  測定部
５０５，８０５  記録部
５０６，８０６  表示部
６００  無線ネットワーク
７００  有線ネットワーク
【図１】
2017163283.tif 000003
【図２】
2017163283.tif 000004
【図３】
2017163283.tif 000005
【図４Ａ】
2017163283.tif 000006
【図４Ｂ】
2017163283.tif 000007
【図４Ｃ】
2017163283.tif 000008
【図４Ｄ】
2017163283.tif 000009
【図５】
2017163283.tif 000010
【図６】
2017163283.tif 000011
【図７】
2017163283.tif 000012
【図８】
2017163283.tif 000013
【図９】
2017163283.tif 000014
【図１０】
2017163283.tif 000015
【図１１】
2017163283.tif 000016